【事件の表示】
　特許第２７５８３８５号「田植機」の特許に対する特許異議の申立てについて、次のとおり決定する。
【結　論】
　訂正を認める。
　特許第２７５８３８５号の特許を維持する。
【理　由】
１．手続の経緯
　本件特許第２７５８３８５号の出願は、平成１年１月２０日に出願した特願平１−１２７７６号の一部を平成８年１月２２日に特許法第４４条第１項の規定により分割して新たな特許出願としたものであって、平成１０年３月１３日にその特許の設定登録がなされ、その後、特許異議の申立がなされ、取消理由通知及び訂正拒絶理由をなしたところ、それぞれの指定期間内の平成１１年１１月１５日付けで訂正請求がなされ平成１２年４月１８日付けでその手続補正がなされたものである。
　
２．訂正の適否の判断
 イ）訂正請求に対する補正の適否について
　特許権者は、訂正明細書中の【特許請求の範囲】の欄の第１０行及び【課題を解決するための手段】の第９行の「支持されているとともに、」を「連結支持されているとともに、」と補正するものであり、当該訂正請求に対する補正は、訂正請求の要旨を変更するものでなく、特許法第１２０条の４第３項において準用する同法１３１条第２項の規定に適合する。
 ロ）訂正請求の内容
　訂正事項ａ
　特許明細書の【特許請求の範囲】の欄の６〜９行（本件特許公報１欄８〜１１行）の「前記薬剤散布装置（５）を支持部材（１６）を介して苗植付装置（３）の固定部に連結支持すると共に、苗植付装置（３）の動力を前記薬剤散布装置（５）の繰出し機構（１４）に伝達して、」を、「前記薬剤散布装置（５）は、前記繰出し機構（１４）と前記回転体（３３）とが機体左右方向での中央部に配置され、横方向に長く延出された横長のガイド部材（１５）の左右両側部が支持部材（１６）を介して苗植付装置（３）の固定部に連結支持されているとともに、前記苗植付装置（３）において左右側方の植付条を植え付ける植付機構の動力を前記薬剤散布装置（５）の繰出し機構（１４）に左右各別に伝達して、」に訂正する。
　訂正事項ｂ　
　特許明細書の【課題を解決するための手段】の欄の５〜７行（本件特許公報第３欄１９〜２１行）の「薬剤散布装置を支持部材を介して苗植付装置の固定部に連結支持すると共に、苗植付装置の動力を薬剤散布装置の繰出し機構に伝達して、」を、「前記薬剤散布装置は、前記繰出し機構と前記回転体とが機体左右方向での中央部に配置され、横方向に長く延出された横長のガイド部材の左右両側部が支持部材を介して苗植付装置の固定部に連結支持されているとともに、前記苗植付装置において左右側方の植付条を植え付ける植付機構の動力を前記薬剤散布装置の繰出し機構に左右各別に伝達して、」に訂正する。
 ハ）訂正目的の適否
　上記訂正事項ａは、特許明細書の特許請求の範囲に記載されていた「薬剤散布装置（５）」について、その構成をより明確化し具体化する明りようでない記載の釈明及び特許請求の範囲の減縮に相当する。
　そして、訂正事項ａは、特許明細書の「図３，４，５に示すように、薬剤散布装置５は、中央上部に・・・繰出し機構１４を備えており、・・・横方向に長く延出されて下方が開放された略箱形状のガイド部材１５を備えて構成されている。チェーンケース８の後部から延出された支持フレーム１６（支持部材に相当）に、薬剤散布装置５が連結されている。」（段落番号【００１３】の２〜７行（本件特許公報４欄３９〜４７行））、「図１及び図３に示すように、左側のチェーンケース８により駆動される植付機構９の回転ケース１０の側部において、植付爪１１の両端に亘って架設されたブラケット２４の途中部位で横軸芯Ｘ１から所定量だけ偏芯した位置と、・・・一方向クラッチ３０とを、ワイヤ３１（連係機構に相当）で連動連結して、回転ケース１０の半回転での引き操作に伴って繰出し部材１８を間欠的に回動させるように構成されている。右側の植付機構９と駆動軸２３に取り付けられた他方の一方向クラッチ３０とが、前述と同様な連係構造により連動連結されている。」（段落番号【００１７】の４〜１３行（本件特許公報５欄３７〜同６欄１行））の各記載、及び回転体（３３）が機体左右方向での中央部に配置された図４及び５記載に基づくものである。
　また、上記訂正事項ｂの訂正は、発明の詳細な説明の【課題を解決するための手段】の記載を、上記特許請求の範囲の訂正に整合させる訂正であって、明りようでない記載の釈明に相当するものである。
 ニ）新規事項及び拡張・変更について
　上記したように、訂正事項ａ、ｂは、特許明細書に記載された事項の範囲内においてなされたものであり、又、実質上特許請求の範囲を拡張し、又は変更するものではない。
 ホ）独立特許要件について
（本件発明）
　訂正請求された特許明細書の特許請求の範囲の請求項１に記載された発明（以下、本件発明という。）は、次のとおりである。
「薬剤を貯留するホッパ（１３）と、前記ホッパ（１３）から薬剤を繰出す繰出し機構（１４）と、繰出された薬剤を回転によって飛散させる回転体（３３）と、前記回転体（３３）によって飛散された薬剤を拡散させて圃場面に落下案内するガイド部材（１５）とを備えて、薬剤散布装置（５）を構成し、
　前記薬剤散布装置（５）は、前記繰出し機構（１４）と前記回転体（３３）とが機体左右方向での中央部に配置され、横方向に長く延出された横長のガイド部材（１５）の左右両側部が支持部材（１６）を介して苗植付装置（３）の固定部に連結支持されているとともに、
　前記苗植付装置（３）において左右側方の植付条を植え付ける植付機構の動力を前記薬剤散布装置（５）の繰出し機構（１４）に左右各別に伝達して、前記繰出し機構（１４）が駆動されるようにする連係機構（２６），（３１）を備えて、前記連係機構（２６），（３１）を前記支持部材（１６）に支持させてある田植機。」
（引用刊行物）
　取消理由通知で引用された、実願昭６２ー１０２１８５号（実開昭６４ー６８１５号）のマイクロフイルム（以下、刊行物１という）、実願昭５７ー１７１７５４号（実開昭５９ー７７３２６号）のマイクロフイルム（以下、刊行物２という）、特公昭４８ー２７７６４号公報（以下、刊行物３という）、実願昭４８ー１０８７１８号（実開昭５０ー５２１６０号）のマイクロフイルム（以下、刊行物４という）、実願昭５２ー１０１２９３号（実開昭５４ー２７０１６号）のマイクロフイルム（以下、刊行物５という）には、それぞれ下記の事項が記載されている。
　刊行物１
　田植機と薬剤撒布機の連動機構に関し、「そして上記田植装置１Ｂの下端部より斜め上方に向けて取付けアーム９が延設され、同取付けアーム９の先端部には薬剤撒布機１０が取り付けられる。即ち、同取付けアーム９の先端部より水平方向に取付けアーム１１が延設され、同取付けアーム１１の先端部には薬剤撒布機１０の本体ケース１２が取り付けられる。同本体ケース１２は漏斗部１２Ａとギヤケース部１２Ｂより成り、同漏斗部１２Ａの頂部にはホッパー１３が取り付けられる。又、同漏斗部１２Ａの下端部と、後述するファンカバー１４の頂部に形成する開口部１４′間を連通させて通路３１が設けられ、同通路３１の漏斗部１２Ａ側の開口端には開閉蓋１５が同通路を開閉自在に取り付けられると共に、漏斗部１２Ａの下端寄り部には撹拌棒１６が回動自在に軸支され、同撹拌棒１６の撹拌作用を介して漏斗部１２Ａ内におけるブリッジ現象の発生を防止することが出来る様に設けられる。一方、図示省略してあるが、ギヤケース部１２Ｂ内にはウオーム歯車とウオームが噛合させて内蔵され、同ウオームの軸線上には撒布ファン１７が回転自在に軸支されると共に、同撒布ファン１７には前述のファンカバー１４が被覆される。同ファンカバー１４は底面及び周縁部の一部を開口させて形成され、その周縁部に形成する開口部より外方に向けて除草剤、殺虫剤等を撒布することが出来る様に設けられる。」（３頁１６行〜５頁２行）、の記載がある。
　これらの明細書及び図面の記載によると、刊行物１には、薬剤を貯留するホッパ１３と、前記ホッパ１３から薬剤を繰出す撹拌棒１６と、薬剤を回転によって飛散させる撒布ファン１７と、前記撒布ファン１７によって飛散された薬剤を拡散させて圃場面に落下案内するファンカバー１４とを備えて、薬剤撒布機１０を構成し、前記薬剤撒布機１０は、前記攪拌棒１６と前記撒布ファン１７が機体左右方向での中央部に配置され、前記撒布ファン１７を被覆するようにファンカバー１４が設けられ、取付けアーム９、１１を介して田植装置１Ｂの下端部に連結支持されている田植機、の発明が記載されていると認める。
　刊行物２
　施肥装置付田植機に関し、「本考案は、メインタンクからの粉粒状肥料を貯留すると共に繰出用回転体により吐出管に供給すべく構成したサブタンクを設け、前記回転体を苗植付装置の往復回動部材にリンク機構で連動連結した田植機に関する。」（１頁１７行〜２頁１行）、「前記繰出し機構（１７）を構成するに、補助タンク（１４）の下部に、外周部に肥料受用溝（１９）を並設したロータ（２０）を機体横向き軸芯周りで回転自在に内装すると共に、苗植付爪（７）縦循環動作用揺動アーム（２１）と一体揺動するようにその揺動アーム（２１）の支軸（２２）に一体連結したアーム（２３）と、ローター回転軸（２４）とをリンク機構（２５）を介して連動連結し、かつ、そのリンク機構（２５）に、前記アーム（２３）の下降揺動時のみ回転軸（２４）側に動力伝達する接当伝動部（２６）を設けると共に、前記アーム（２３）の上昇揺動時（つまり、接当伝動部（２６）が非連動状態にある時）に回転軸（２４）を逆回転させるようにリンク機構（２５）の回転軸（２４）側部分に付勢作用するスプリング（２７）を設け、もって、植付爪（７）の一循環動作に伴ない接当伝動部（２６）の動力伝達作用とスプリング（２７）の付勢作用とによりローター（２０）を一定角度づつ往復回動させ、所定量の肥料を繰出し供給するよう構成してある。」（６頁９行〜７頁６行）、の記載がある。
　また、第２図には、リンク機構（２５）が、支持フレーム（２９）を介してアーム（２３）に連結された構成、の記載がある。
　刊行物３
　肥料等の散布装置に関し、「本発明は・・・散布巾を従来公知のものに比較して拡大すると共に、散布むらを少くし且つ散布物体を飛遊させない事を目的としたもので」（１欄１３〜１７行）、「粉状の肥料等の物体を収納する適宜形状の容器より順次繰出し孔より繰出したものを外部より強制的に廻転動力を与えられる廻転軸に設けられたスピンナーにより散布する装置に於てスピンナーを覆う位置より作業機の進行方向に対して直角にトンネル状覆布を金属桿等により保持し、その両端部に空気排出孔を設けた事を特徴とする肥料等の散布装置。」（特許請求の範囲）、の記載がある。
　刊行物４
　粉の散布装置に関し、「加えて回転散布体（１６）の回転によって囲繞枠（２８）内部に風が生じて粉は囲繞枠（２８）の中央部に集合しようとするが、回転散布体（１６）の中央部が仕切られてあるので、中央部の下より上にぬける風が起き難く粉は中央部に局部的に集合することなく均一に散布される。」（３頁１７行〜４頁３行）、の記載がある。
　刊行物５
　トラクター用肥料・農薬均一散布装置に関し、「（イ）散布機の前面に、耕運部の幅にあわせて散布するため（７）（８）（１０）により構成するスライド式の、おおいをもうけ（ロ）耕運幅の大小にあわせて（４）（５）により構成する台にとりつけた散布機を、前後にスライドすれば（１２）で示した散布角度により、トラクターの大小にかかわらず均一に散布する事が出来る」（実用新案登録請求の範囲）、「（４）はスライド台（５）は固定台・・・（７）は固定パイプ（８）はスライドパイプ・・・（１０）はビニール布地製おおい・・・（１２）は散布角度を示す」（３頁１８行〜４頁６行）、の記載がある。
（対比・判断）
　本件発明と刊行物１に記載の発明とを比較すると、刊行物１記載の発明の撹拌棒１６の攪拌作用は薬剤の繰出し役立つ繰出し機能を有すると認めると共に、刊行物１記載の発明の「撒布ファン１７」、「ファンカバー１４」、「薬剤撒布機１０」、「取付アーム９、１１」、「田植装置１Ｂ」は、本件発明の「回転体」、「ガイド部材」、「薬剤散布装置」、「支持部材」、「田植機」にそれぞれ相当するから、両者は、薬剤を貯留するホッパと、前記ホッパから薬剤を繰出す繰出し機構と、繰出された薬剤を拡散させて回転によって飛散させる回転体と、前記回転体によって飛散された薬剤を圃場面に落下案内するガイド部材とを備えて、薬剤散布装置を構成し、前記薬剤散布装置は、前記繰出し機構と前記回転体とが機体左右方向での中央部に配置されている田植機、である点で一致し、
　１）回転体によって飛散された薬剤を拡散させて圃場面に落下案内するガイド部材は、本件発明は、横方向に長く延出された横長であり、左右両側部が支持部材を介して苗植付装置の固定部に連結支持されているのに対し、刊行物１記載の発明は、撒布ファン１７を被覆して機体左右方向での中央部に配置されている点、
　２）本件発明は、苗植付装置において左右側方の植付条を植え付ける植付機構の動力を薬剤散布装置の繰出し機構に左右各別に伝達して、前記繰出し機構が駆動されるようにする連係機構を備えて、前記連係機構を前記支持部材に支持させているのに対し、刊行物１記載の発明は、そのような構成を有していない点、
で相違している。
　先ず、相違点１について検討すると、刊行物３記載の「トンネル状覆布」及び刊行物５記載の「ビニール布地製おおい（１０）」は、それぞれ本件発明のガイド部材に相当するから、回転体によって飛散された薬剤を拡散させて圃場面に落下案内するガイド部材は、横方向に長く延出された横長に形成する、相違点１）の構成は、刊行物３及び５等に示すように公知或いは周知技術にすぎないと認めるが、同ガイド部材は、左右両側部が支持部材を介して苗植付装置の固定部に連結支持されている、本件発明の相違点１）の構成は、刊行物３、５には記載されておらず、他の刊行物にも記載されていない。
　次に、相違点２について検討すると、刊行物２記載の「田植機」、「苗植付爪（７）、縦循環動作用揺動アーム（２１）」、「リンク機構（２５）」は、本件発明の「苗植付装置」、「植付機構」、「連係機構」に相当するから、同刊行物には、本件発明の相違点２）の構成のうち、苗植付装置において、植え付ける植付機構の動力を粉粒状肥料の散布装置の繰出し機構に伝達して、前記繰出し機構が駆動されるようにする連係機構を備える構成は記載されているものの、同連係機構は、苗植付装置において左右側方の植付条を植え付ける植付機構の動力を散布装置の繰出し機構に左右各別に伝達するものではなく、本件発明の相違点２）の構成を具備するものではない。そして、上記の本件発明の相違点２）の構成は、他の引用刊行物にも記載されていない。
　そうしてみると、取消理由通知で引用された刊行物１〜５には、相違点１）及び２）に関する本件発明の一部の構成が記載されているのみであって、本件発明の「横方向に長く延出された横長のガイド部材の左右両側部が支持部材を介して苗植付装置の固定部に連結支持されているとともに、苗植付装置において左右側方の植付条を植え付ける植付機構の動力を薬剤散布装置の繰出し機構に左右各別に伝達して、前記繰出し機構が駆動されるようにする連係機構を備えて、前記連係機構を前記支持部材に支持させ（た）」相違点１）及び２）に関する構成は、記載されていない。
　そして、本件発明は、上記構成により、「田植機において苗植付装置に薬剤散布装置を強固に連結支持することができ、苗植付装置の苗の植付作動に連動して確実に薬剤散布装置を作動させることができるようになって、過不足なく薬剤を散布することができる伝動系を、簡素で単純な構造によって得られるようになった。」という明細書記載の効果を奏すると共に、さらに、「横長のガイド部材は、その左右両側部が支持部材を介して苗植付装置の固定部に支持されているので、それ自身が必要以上に大きな保形強度を有していないものであっても、安定的に支持される利点がある。そして、苗植付装置において左右側方の植付条のうちの何れか一方側を停止した部分条植えでの作業を行う場合にも繰出し機構を支障なく駆動できるように、左右側方の植付条を植え付ける植付機構の動力を薬剤散布装置の繰出し機構に左右各別に伝達するように連係機構を設けるに当たり、前述の横長ガイド部材を安定支持するために用いられる左右側方の各支持部材を、連係機構の方向変換箇所ともなる中間部の位置固定部を兼ねた部材として利用したものであるから、植付機構と繰り出し機構との配設位置が左右方向で離隔し、且つ、各種駆動部材が存在する狭い配設空間での連係機構の配設を、専用の取付部材を付設するような部品点数の増加による構造の複雑化を招くことなく、良好に行い易いものである。」という平成１２年４月１８日付け意見書で主張するような特有の効果を奏すると認める。
　したがって、本件特許発明は、取消理由通知での引用刊行物に記載された発明及び周知技術に基づき当業者が容易に発明することができたものであるとすることはできない。 
 ヘ）むすび
　以上のとおりであるから、上記訂正は、特許法等の一部を改正する法律（平成６年法律第１１６号。以下「平成６年改正法」という）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３．特許異議申立てについての判断
 イ）申立ての理由の概要
　特許異議申立人ヤンマー農機株式会社は、下記の甲第１〜３号証を提出して、訂正前の本件発明は、甲第１〜３号証に記載の発明に基づいて当業者が容易に発明をすることができたものであるから、特許法第２９条第２項の規定に違反して特許されたものであり、当該特許は取り消されるべきである旨主張している。
 ロ）提出証拠
　甲第１〜３号証は、上記２.ホ）の取消理由通知で引用した刊行物１〜３と同一の下記刊行物からなる。
甲第１号証：実願昭６２ー１０２１８５号（実開昭６４ー６８１５号）のマイクロフイルム（刊行物１）
甲第２号証：実願昭５７ー１７１７５４号（実開昭５９ー７７３２６号）のマイクロフイルム（刊行物２）
甲第３号証：特公昭４８ー２７７６４号公報（刊行物３）
 ハ）判断
　本件発明は、上記２．ホ）（対比・判断）で示したように、特許異議申立ての提出証拠の甲第１〜３号証の刊行物に記載された発明に基づき当業者が容易に発明することができたものであるとすることはできない。
　以上のとおりであるから、特許異議申立ての理由によっては本件発明についての特許を取り消すことはできない。
　また、他に本件発明についての特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年８月３０日（２０００．８．３０）
【訂正の要旨】
訂正の要旨
　訂正の要旨は以下のとおりである。
１）明りようでない記載の釈明及び特許請求の範囲の減縮を目的として、特許明細書の【特許請求の範囲】の欄の６〜９行（本件特許公報１欄８〜１１行）の「前記薬剤散布装置（５）を支持部材（１６）を介して苗植付装置（３）の固定部に連結支持すると共に、苗植付装置（３）の動力を前記薬剤散布装置（５）の繰出し機構（１４）に伝達して、」を、「前記薬剤散布装置（５）は、前記繰出し機構（１４）と前記回転体（３３）とが機体左右方向での中央部に配置され、横方向に長く延出された横長のガイド部材（１５）の左右両側部が支持部材（１６）を介して苗植付装置（３）の固定部に連結支持されているとともに、前記苗植付装置（３）において左右側方の植付条を植え付ける植付機構の動力を前記薬剤散布装置（５）の繰出し機構（１４）に左右各別に伝達して、」に訂正する。
２）明りようでない記載の釈明を目的として、特許明細書の【課題を解決するための手段】の欄の５〜７行（本件特許公報第３欄１９〜２１行）の「薬剤散布装置を支持部材を介して苗植付装置の固定部に連結支持すると共に、苗植付装置の動力を薬剤散布装置の繰出し機構に伝達して、」を、「前記薬剤散布装置は、前記繰出し機構と前記回転体とが機体左右方向での中央部に配置され、横方向に長く延出された横長のガイド部材の左右両側部が支持部材を介して苗植付装置の固定部に連結支持されているとともに、前記苗植付装置において左右側方の植付条を植え付ける植付機構の動力を前記薬剤散布装置の繰出し機構に左右各別に伝達して、」に訂正する。
（５４）【発明の名称】
田植機
（５７）【特許請求の範囲】
　　【請求項１】　薬剤を貯留するホッパ（１３）と、前記ホッパ（１３）から薬剤を繰出す繰出し機構（１４）と、繰出された薬剤を回転によって飛散させる回転体（３３）と、前記回転体（３３）によって飛散された薬剤を拡散させて圃場面に落下案内するガイド部材（１５）とを備えて、薬剤散布装置（５）を構成し、
　
前記薬剤散布装置（５）は、前記繰出し機構（１４）と前記回転体（３３）とが機体左右方向での中央部に配置され、横方向に長く延出された横長のガイド部材（１５）の左右両側部が支持部材（１６）を介して苗植付装置（３）の固定部に連結支持されているとともに、
　
前記苗植付装置（３）において左右側方の植付条を植え付ける植付機構の動力
左右各別に
【発明の詳細な説明】
　【０００１】
　　【産業上の利用分野】
　本発明は苗植付装置を備えた田植機において、苗植付装置に薬剤散布装置を支持する為の構造に関する。
　【０００２】
　　【従来の技術】
　田植機の苗植付装置に薬剤散布装置を支持する場合、植付機構を駆動するチェーンケース等のように苗植付装置と一体形成される部材に、薬剤散布装置を支持する構成が考えられる。
　【０００３】
　　【発明が解決しようとする課題】
　前述の薬剤散布装置においては、苗植付装置による苗の植付作動と同時に薬剤の散布を開始し、苗の植付作動の停止と同時に薬剤の散布を停止することが、苗の植付作動の開始時での薬剤の散布不足を無くすと言う面、及び薬剤の無駄な消費を低減すると言う面で有効となる。
　【０００４】
　そこで、苗植付装置の動力で薬剤散布装置の薬剤の繰出し系を駆動するような構造、例えば伝動軸を介して苗植付装置の動力を薬剤散布装置に伝達する伝動系を考えると、伝動軸を用いるものでは伝動軸を精度良く支持する軸受が必要になる等のように、構造が複雑になり易く改善の余地がある。
　本発明は田植機において、苗植付装置に薬剤散布装置を強固に連結支持し、苗植付装置の苗の植付作動と連動して、薬剤散布装置による薬剤の散布が行える伝動系を合理的に構成することを目的としている。
　【０００５】
　　【課題を解決するための手段】
　本発明の特徴は、以上のような田植機において、次のように構成することにある。
　薬剤を貯留するホッパと、ホッパから薬剤を繰出す繰出し機構と、繰出された薬剤を回転によって飛散させる回転体と、回転体によって飛散された薬剤を拡散させて圃場面に落下案内するガイド部材とを備えて、薬剤散布装置を構成し、
前記薬剤散布装置は、前記繰出し機構と前記回転体とが機体左右方向での中央部に配置され、横方向に長く延出された横長のガイド部材の左右両側部が支持部材を介して苗植付装置の固定部に連結支持されているとともに、前記苗植付装置において左右側方の植付条を植え付ける植付機構の動力
左右各別に
　【０００６】
　　【作用】
　請求項１の特徴によると、薬剤散布装置は苗植付装置の固定部に、支持部材を介して連結支持される。苗の植付作動時においては、連係機構を介して伝達される苗植付装置の動力により、薬剤散布装置の繰出し機構がホッパの薬剤を繰出すのであり、繰出された薬剤は回転体の回転によって飛散され、ガイド部材の案内作用で圃場面に拡散状態で散布される。
　【０００７】
　請求項１の特徴のように連係機構を支持部材に支持させるように構成すると、例えば伝動軸を備えて連係機構を構成した場合でも、伝動軸の支持部材への支持を可能にして、伝動軸の軸芯の精度を高いものにすることができるのであり、揺動式のアームを備えて連係機構を構成した場合でも、揺動式のアームの支持部材への支持を可能にして、連係機構の中間位置の支持の精度を高いものにすることができると言うように、連係機構を支持する為の特別な部材を備えなくても、薬剤散布装置を連結支持する為に高強度に製作された支持部材を用いて、苗植付装置の植付機構の植付動作を、薬剤散布装置の繰出し機構に確実に伝達することができる。
　【０００８】
　　【発明の効果】
　請求項１の特徴によると、田植機において苗植付装置に薬剤散布装置を強固に連結支持することができ、苗植付装置の苗の植付作動に連動して確実に薬剤散布装置を作動させることができるようになって、過不足なく薬剤を散布することができる伝動系を、簡素で単純な構造によって得られるようになった。
　【０００９】
　　【実施例】
　図１０に本発明に係る乗用型の田植機を示している。この田植機は乗用型の走行機体１の後部に、昇降駆動されるリンク機構２を介して苗植付装置３を連結して、苗植付装置３の後部に施肥装置４を取り付け、施肥装置４の後方に薬剤散布装置５を備えて構成されている。
　【００１０】
　苗植付装置３は、図３及び図４に示すように、苗を載置する後下り傾斜姿勢の苗のせ台６を、フレーム兼用の植付伝動ケース７に一定ストロークで往復横移動自在に取り付け、植付伝動ケース７から後方に向けて一体に延設した３個のチェーンケース８の後部両側に植付機構９を備えて、６条植付け型式に構成されている。
　【００１１】
　チェーンケース８の後部の横軸芯Ｘ１周りで回動駆動される回転ケース１０の両端に植付爪１１を備え、回転ケース１０の回転に伴い植付爪１１が楕円軌跡を描きながら苗を切り出して圃場に植え付けるように、植付機構９が構成されている。図３及び図５に示すように、植付伝動ケース７及びチェーンケース８に、植付機構９に対する動力を各別に断続するクラッチ機構Ｃが内装されて、各クラッチ機構Ｃの人切操作を、苗のせ台６の前面側に配置した各条クラッチレバー１２の人為操作により行うように構成されており、一部の植付機構９が駆動される部分条植付状態と、全ての植付機構９が駆動される全条植付状態とに切換操作可能に構成されている。
　【００１２】
　図９に示すように、植付伝動ケース７及びチェーンケース８に、植付機構９の停止時において、回転ケース１０を略水平姿勢に維持する停止姿勢規制機構Ａが備えられている。クラッチ機構Ｃのシフトフォーク４１と一体的に揺動する係止片４２を備え、クラッチ機構Ｃの従動軸４３に係止片４２が係合することで所定位置に姿勢規制する係合部材４４を取り付けて、停止姿勢規制機構Ａが構成されており、従動軸４３と植付機構９とを１／２減速チェーン伝動機構（図示せず）により連結して、回転ケース１０が１８０°の位相差毎に停止可能に構成されている。
　【００１３】
　図３，４，５に示すように、薬剤散布装置５は、中央上部に粉粒体の薬剤を貯留するホッパ１３、ホッパ１３の下方に所定量の薬剤を繰出す繰出し機構１４を備えており、繰出された薬剤を略全ての植付条に拡散させるように、横方向に長く延出されて下方が開放された略箱形状のガイド部材１５を備えて構成されている。チェーンケース８の後部から延出された支持フレーム１６（支持部材に相当）に、薬剤散布装置５が連結されている。
　【００１４】
　図６，７，８に示すようにホッパ１３の下方に、薬剤通過用の透孔１７を周方向に沿って一定ピッチで多数形成した回転円板型の繰出し部材１８を備え、透孔１７の通過箇所においてホッパ１３に薬剤供給口１９を形成しており、底板上を摺接回動可能に繰出し部材１８が構成されている。透孔１７の通過箇所で薬剤供給口１９から周方向にずれた位置において、底板に落下孔２１を形成し、繰出し部材１８を間欠的に回動させることで、各透孔１７内の薬剤が下方に繰出されるように構成されている。落下した薬剤は案内筒４５を介して下方の回転体３３の上方に落下する。回転体３３は、電動モータ３２により縦軸芯周りで高速回転する円板であり、径方向に延びる回転羽根３４が回転体３３に立設されている。以上の構造により、薬剤は回転羽根３４によって跳ね飛ばされ、略箱形状のガイド部材１５の内面によって、略全ての植付条に亘り拡散されて圃場面に散布される（図５参照）。
　【００１５】
　図４，５，６に示すようにガイド部材１５の内部に、左右一対のシャッタ部材４６が揺動開閉自在に備えられている。シャッタ部材４６はガイド部材１５の前壁１５ａに略沿う縦軸芯周りに、前後向き姿勢でガイド部材１５内の拡散領域を遮閉する作用位置と、横向き姿勢で前壁１５ａに沿う非作用位置とに揺動操作可能に構成されており、左右の各条クラッチレバー１２とワイヤ４７を介して連動連結されている。これにより、停止側の植付条に対して薬剤の散布を行わないように、シャッタ部材４６を作用位置に設定することができる。
　【００１６】
　図４に示すようにガイド部材１５の両横側端部に、走行機体１の運転部４８（図１０参照）から目視することができるマーカ４９が延出されており、施肥装置４によって死角となる薬剤散布装置５の位置を作業者が確認できるようにして、畦際での苗植付装置３の昇降操作時に薬剤散布装置５が畦に衝突するのを、防止できるように構成されている。
　【００１７】
　次に繰出し部材１８の駆動構造について説明する。
　図１，６，８に示すように、繰出し部材１８の縦向きの駆動軸２３と植付機構９とを連動連結し、回転運動を往復揺動運動に変換して、一方向クラッチ３０により透孔１７のピッチの相当量ずつ間欠的に回動するよう構成されている。図１及び図３に示すように、左側のチェーンケース８により駆動される植付機構９の回転ケース１０の側部において、植付爪１１の両端に亘って架設されたブラケット２４の途中部位で横軸芯Ｘ１から所定量だけ偏芯した位置と、支持フレーム１６の途中部位に枢支した揺動アーム２６（連係機構に相当）の一端とを、押引ロッド２７を介して連結し、揺動アーム２６の他端と駆動軸２３に取り付られけた一方向クラッチ３０とを、ワイヤ３１（連係機構に相当）で連動連結して、回転ケース１０の半回転での引き操作に伴って繰出し部材１８を間欠的に回動させるように構成されている。右側の植付機構９と駆動軸２３に取り付けられた他方の一方向クラッチ３０とが、前述と同様な連係構造により連動連結されている。
　【００１８】
　以上のように駆動系を２系統備えることで、部分条植付状態を設定する際においても、常に薬剤の繰出しが行えるようにしている。図１に示すように、例えばクラッチ機構Ｃにより右側２条の植付条を停止させて部分条植付状態を設定する場合、停止側となる右側の植付機構９と押引ロッド２７との連結位置Ｐ２と、駆動側となる左側の植付機構９と押引ロッド２７との連結位置Ｐ１とを、回転ケース１０の回転方向に略９０°位置ずれさせている。
　【００１９】
　このように構成すると左側の植付機構９による繰出し部材１８の駆動特性は、図２のラインＬ１に示す特性となり、右側の植付機構９による駆動特性は図２のラインＬ２に示す特性となって、ラインＬ１，Ｌ２の合成された駆動特性は図２の斜線で示すものとなる。従って、例えば右側のクラッチ機構Ｃを切り操作した後に再び全条植付状態を設定する際、各植付機構９の回転位相が１８０°ずれた場合でも、駆動特性は図２に示すものと同一となり、薬剤の繰出し量が変化することはない。
　【００２０】
　尚、特許請求の範囲の項に図面との対照を便利にする為に符号を記すが、該記入により本発明は添付図面の構成に限定されるものではない。
【図面の簡単な説明】
　　【図１】
　薬剤散布装置の繰出し部材と植付機構との連係構造を示す図
　　【図２】
　繰出し部材の駆動特性を示す図
　　【図３】
　苗植付装置、施肥装置及び薬剤散布装置の側面図
　　【図４】
　苗植付装置、施肥装置及び薬剤散布装置の背面図
　　【図５】
　苗植付装置、施肥装置及び薬剤散布装置の平面図
　　【図６】
　薬剤散布装置における繰出し機構付近の縦断側面図
　　【図７】
　図６をＶＩＩ−ＶＩＩ方向から見た断面図
　　【図８】
　図６をＶＩＩＩ−ＶＩＩＩ方向から見た断面図
　　【図９】
　クラッチ機構の断面図
　　【図１０】
　田植機の全体側面図
　　【符号の説明】
　３　　　　　苗植付装置
　５　　　　　薬剤散布装置
　９　　　　　植付機構
　１３　　　　ホッパ
　１４　　　　繰出し機構
　１５　　　　ガイド部材
　１６　　　　支持部材
　２６，３１　連係機構
　３３　　　　回転体